(57)【要約】【課題】  装飾部とリングとが別体になっており、個々に用いて楽しむことができるのと同時に、装飾部とリングとを合体させて装飾部の付いたリングとして楽しむこともできるものを提供することを課題とする。【解決手段】  独立した複数のリングを重ね、ホルダの上蓋と下蓋が形成する空所に嵌め込む。上蓋と下蓋は蝶番により一端が開閉可能にされており、３本のリングを空所に嵌め込んだ後に下蓋のピンと上蓋のピン受を嵌合させることにより、リングとホルダが一体になる。下蓋のピンと上蓋のピン受は、取り外す意思を以て操作しないと外れないよう、しっかりと嵌め合わされる。【選択図】        図１
2014045894.tif 000002
【特許請求の範囲】
【請求項１】
上方部材と下方部材を備え、前記上方部材と前記下方部材は両者の接合一端を支点に他端が開閉するようにされており、前記上方部材と前記下方部材の他端には前記他端を閉じた状態に維持するための取付手段が設けてあり、前記上方部材と前記下方部材が構成する空所に複数の指輪リングを嵌合させ、前記指輪リングが周方向に平行に並べられひとまとめにされることを特徴とするホルダ。
【請求項２】
装飾体を備える請求項１に記載のホルダ。
【請求項３】
ペンダントトップとして用いる請求項１又は請求項２に記載のホルダ。
【請求項４】
請求項１に記載のホルダの前記上方部材と前記下方部材が構成する空所に複数の指輪リングを嵌合させ、前記指輪リングが周方向に平行に並べられひとまとめにされた指輪。
【請求項５】
前記ホルダが装飾体を備えることを特徴とする請求項４に記載のホルダ。
【請求項６】
前記ホルダに前記指輪リングを密着接合させることを特徴とする請求項４又は請求項５に記載の指輪。
【発明の詳細な説明】
【技術分野】
【０００１】
本発明は、複数のリングがホルダによりひとまとめにされてなる指輪及び当該ホルダに関する。リングとホルダは着脱自在であり、リング同士の組合せやリングとホルダの組合せにより何種類もの指輪を楽しむことができる指輪に関する。
【背景技術】
【０００２】
従来より、指輪に関し、リング自体にデザインを施したり、リングに宝玉等よりなる装飾部を施したりと、様々な種類がある。人々は、複数の指輪を所有して様々な種類の指輪を楽しむ他に、それらの複数の指輪を組み合わせ、いわゆる重ね付をして楽しんだりしている。
【０００３】
しかし、従来、装飾部とリングとが別体であり個々に用いて楽しむことができるのと同時に、装飾部とリングとを合体させて装飾部の付いたリングとして楽しむことができるものはなかった。また、従来、装飾部が複数のリングを束ねるものとして機能し、かつリングを束ねた結果得られる指輪が、あたかも、もとから完成した一つの指輪であったかのように見え、かつ装飾部とリングが容易に外れることのない指輪はなかった。
【０００４】
特許第３２７５２５６号（特許文献１）では、図７に示す通り、複数のリング５０を任意に組み合わせ、内輪６０によってこれを一体にする発明が記載されている。しかし、内輪６０は装飾性がないため、内輪としてのみ機能する。
【０００５】
特許第４９１７８４８号（特許文献２）では、宝玉等の施された装飾体が、これをリングに取り付けて指輪を装飾するものとして用いられる一方、ブローチやネックレスとしても用いられる発明が記載されている。しかし、特許文献２には、当該装飾体を指輪の装飾に用いるにあたり、複数のリングの組み合わせを楽しむことについては記載がない。
【先行技術文献】
【特許文献】
【０００６】
【特許文献１】特許第３２７５２５６号
【０００７】
【特許文献２】特許第４９１７８４８号
【発明の概要】
【発明が解決しようとする課題】
【０００８】
装飾部とリングとが別体になっており、個々に用いて楽しむことができると同時に、装飾部とリングとを合体させて装飾部の付いたリングとして楽しむこともできるものを提供することを課題とする。装飾部が複数のリングを束ねるものとして機能し、かつ束ねた結果得られる指輪が、あたかももとから完成した一つの指輪であったかのように見え、かつ両者が容易に外れることのない指輪を得ることを課題とする。
【課題を解決するための手段】
【０００９】
上方部材と下方部材を備え、前記上方部材と前記下方部材は両者の接合一端を支点に他端が開閉するようにされており、前記上方部材と前記下方部材の他端には前記他端を閉じた状態に維持するための取付手段が設けてあり、前記上方部材と前記下方部材が構成する空所に複数の指輪リングを嵌合させ、前記指輪リングが周方向に平行に並べられひとまとめにされることを特徴とするホルダによって課題を解決する。
【００１０】
上方部材と下方部材は、両部材の一端に蝶番を設ける等の手段により、両部材の他端が開閉可能となる。当該他端に設ける取付手段とは、例えばピンと切欠きの嵌合である。当該取付手段は、これが外れることによりリングからホルダが外れることから、そのような事態を避けるべく、固く留まるようにされる必要がある。上方部材と下方部材が構成する空所は、その空所に嵌め込まれるリングの形状に沿うようにかたどられていてもよい。これにより、リングとリングの間に隙間ができ、リングどうしが傷つけあうのを避けることができる。
【００１１】
ホルダには装飾体が設けてあってもよい。装飾体にはダイヤモンド等の宝玉が施されていてもよい。
【００１２】
ペンダントトップとして用いるホルダによって課題を解決する。
【００１３】
ホルダに装飾体が設けられている場合等、高価な場合にこれを有効利用するのが望ましいためである。ホルダの空所にペンダントのチェーンを通すことによって容易にペンダントトップとして用いることができる。
【００１４】
ホルダの上方部材と下方部材が構成する空所に複数の指輪リングを嵌合させ、指輪リングが周方向に平行に並べられひとまとめにされた指輪によって課題を解決する。
【００１５】
ホルダに指輪リングを密着接合させることを特徴とする指輪によって課題を解決する。
【００１６】
ホルダに指輪リングを密着嵌合させるとは、リングを嵌合させたホルダの空所が指輪リングの形状に沿って構成されており、両者が、両者間に外観上ほとんど隙間がみられないように接している状態をいう。この結果、ホルダと指輪リングが独立した別体であることが外観上わからず、あたかも全体がもとから一つの指輪であるかのように見える。
【図面の簡単な説明】
【００１７】
【図１】本発明の実施例１に係る指輪を示す。
【図２】本発明の実施例１のホルダを示す。
【図３】本発明の実施例１のホルダを示す。
【図４】本発明の実施例２に係る指輪を示す。
【図５】本発明の実施例２のホルダを示す。
【図６】本発明の実施例２のホルダを示す。
【図７】従来の指輪を示す。
【発明を実施するための形態】
【００１８】
以下、本発明の実施形態について図面を参照しながら説明する。
【００１９】
図１から図３に実施例１を示す。実施例１は、組み合わせる対象のリングの断面が円又は楕円のものである。独立した３本のリング２０，３０及び４０を重ね、ホルダ１０の上蓋１２と下蓋１３が形成する空所１９に嵌め込む。上蓋１２と下蓋１３は蝶番１６により開閉可能にされており、３本のリングを空所に嵌め込んだ後に下蓋のピン１４と上蓋のピン受１５を嵌合させることにより、リングとホルダが一体になる。下蓋のピン１４と上蓋のピン受１５は、取り外す意思を以て操作しないと外れないよう、しっかりと嵌め合わされる。
【００２０】
なお、ピン１４とピン受１５がしっかりと嵌め合わされていることに加えて、この指輪１を指にはめた際には、リング内に指があることにより、リングの内側から外側へ向けて押圧する力が働き、このために、指とリングとの間に嵌れているホルダの下蓋１３はリングと指の間にしっかりと挟まれる。ホルダがリングから外れ落ちる機会は、このような構造によっても減じられている。
【００２１】
上蓋１２の下面の形状は、リングに沿った形状になっており、リングとホルダが一体にされた際には、外観上、両者が別体であることはほとんどわからない。上蓋１２の下面の形状が、リングに沿った形状にされていることにより、リングはほとんどがたつくことがない。
【００２２】
ホルダに嵌め込むリングは、三本に限らず中央部分以外に二本、または中央部のみに一本嵌め込むのでも構わない。リングを、プラチナ、ゴールド、合成樹脂、等多種組み合わせて楽しむことができる。
【００２３】
ホルダは、リングから取り外した際には、単独で、ペンダントトップとして用いることができる。
【００２４】
図４から図６に実施例２を示す。実施例２は実施例１とほとんど同じであるが、組み合わせる対象のリングの断面が矩形のものである点が異なる。独立したリング２０，３０及び４０を重ね、ホルダ１０の上蓋１２と下蓋１３が形成する空所に嵌め込み、下蓋のピン１７，１８を、上蓋のピン受に嵌め込んで両者を一体にする。上蓋１２の下面の形状は、リングの断面（矩形）に沿ったものにされている。
【産業上の利用可能性】
【００２５】
例えば、婚約指輪と結婚指輪に関し、婚約指輪にはダイヤモンド等の高価な宝玉よりなる装飾部が施されている一方、結婚指輪はシンプルなリングで成ることが一般的であるところ、婚約指輪と結婚指輪をいずれも持っている場合には、装飾部が施された婚約指輪と、シンプルなリングでなる結婚指輪とを、二つ重ね付して楽しむ場合もある。
【００２６】
その一方、婚約指輪は高額であるために、婚約時には購入をあきらめる、といったケースもある。本願発明による場合、当初は結婚指輪のみを購入して出費を安価に抑え、その後の結婚記念日等を利用して新たなリングを購入し、さらに高価な装飾体を備えた本願に係るホルダを購入し、結婚指輪や、その後購入したリングをひとまとめにして、一つの指輪にして楽しむことができる。
【符号の説明】
【００２７】
１  指輪
１０  ホルダ
１１  装飾体
１２  上蓋
１３  下蓋
１４  ピン
１５  ピン受
１６  蝶番
１７  ピン（軸部）
１８  ピン
１９  空所
２０，３０，４０  リング
５０  リング
６０  内輪
【図１】
2014045894.tif 000003
【図２】
2014045894.tif 000004
【図３】
2014045894.tif 000005
【図４】
2014045894.tif 000006
【図５】
2014045894.tif 000007
【図６】
2014045894.tif 000008
【図７】
2014045894.tif 000009